(57)【要約】【課題】表示オブジェクトの編集作業を効率よく行うことが可能な操作端末及び表示オブジェクトの編集方法を提供する。【解決手段】複数の表示オブジェクトを画面上に表示する表示部と、ユーザの指示が入力される入力部と、入力部への入力に基づいて、ユーザにより指定された画面上の位置を検出する指定位置検出部と、指定位置検出部の検出結果に基づいて、ユーザによって表示オブジェクトから選択された表示オブジェクトである選択オブジェクトを判定する判定部と、判定部での判定結果に基づいて、選択オブジェクトの表示順を決定し、選択オブジェクトの画面上への挿入位置を決定する決定部と、選択オブジェクトが決定部で決定された表示順で挿入位置に挿入され、表示されるように、表示部に指示する指示部と、を備え、表示部は、指示部からの指示に基づいて、複数の表示オブジェクトの表示を変更する。【選択図】図２
2020160957.tif 000002
【特許請求の範囲】
【請求項１】
複数の表示オブジェクトを画面上に表示する表示部と、
ユーザの指示が入力される入力部と、
前記入力部への入力に基づいて、ユーザにより指定された前記画面上の位置を検出する指定位置検出部と、
前記指定位置検出部の検出結果に基づいて、前記ユーザによって前記表示オブジェクトから選択された表示オブジェクトを判定し、当該表示オブジェクトを選択オブジェクトとする判定部と、
前記判定部での判定結果に基づいて、前記選択オブジェクトの表示順を決定し、前記選択オブジェクトの前記画面上への挿入位置を決定する決定部と、
前記選択オブジェクトが前記決定部で決定された前記表示順で前記挿入位置に挿入して、表示されるように、前記表示部に指示する指示部と、
を備え、
前記表示部は、前記指示部からの指示に基づいて、複数の前記表示オブジェクトを表示する操作端末。
【請求項２】
表示部の画面に表示された表示オブジェクトの編集方法であって、
入力部を介して入力されるユーザの指示に基づいて、前記画面に表示された複数の前記表示オブジェクトから選択された表示オブジェクトである選択オブジェクトを設定し、かつ前記選択オブジェクトの表示順を決定するオブジェクト決定ステップと、
前記ユーザの指示に基づいて、前記選択オブジェクトの前記画面上への挿入位置を決定する移動位置決定ステップと、
前記選択オブジェクトを前記表示順で前記挿入位置に挿入して前記表示部に表示させる表示ステップと、
を備える表示オブジェクトの編集方法。
【請求項３】
前記オブジェクト決定ステップは、
前記ユーザの指示に基づいて、前記表示オブジェクトから選択された前記選択オブジェクトを選択する第一決定ステップと、
前記第一決定ステップ時に、前記選択オブジェクトが選択された時間的な順番で、前記選択オブジェクトの前記表示順を決定する第二決定ステップと、を含む
請求項２に記載の表示オブジェクトの編集方法。
【請求項４】
前記オブジェクト決定ステップは、
前記ユーザの指示に基づいて、前記表示オブジェクトから選択された前記選択オブジェクトを決定する第一決定ステップと、
前記第一決定ステップの後に、前記ユーザの指示に基づいて、前記選択オブジェクトから、前記選択オブジェクトの前記表示順をそれぞれ決定する第二決定ステップと、を含む
請求項２に記載の表示オブジェクトの編集方法。
【発明の詳細な説明】
【技術分野】
【０００１】
本発明は、設備機器を操作するための操作端末及び表示オブジェクトの編集方法に関する。
【背景技術】
【０００２】
従来、アイコン、ボタン等の画像データである複数の表示オブジェクトが並んで表示された画面と、操作入力部であるタッチパッドを有する操作端末において、ユーザのタッチパッド操作により、表示オブジェクトを選択し、移動させることで、オブジェクトの並ぶ順序を容易に変更する技術が開示されている（例えば特許文献１）。
【先行技術文献】
【特許文献】
【０００３】
【特許文献１】特開２０１３−１５９２７３号公報
【発明の概要】
【発明が解決しようとする課題】
【０００４】
しかしながら、例えば多数の表示オブジェクトが表示された操作端末において、表示オブジェクトの表示順を変更する場合、表示オブジェクトの一つを選択して新たな表示位置を指示（移動）することを繰り返すと、移動する表示オブジェクトの数が多くなり、表示オブジェクトの編集に時間がかかる場合があった。また、表示オブジェクトの表示位置の変更の際には、ユーザが表示オブジェクトの並び替えを行いながら、最適な表示順を検討する場合が多い。そのため、表示オブジェクトの数が多い程、検討と並び替えを繰り返すため、表示オブジェクトの編集時間が長くなってしまう。
【０００５】
本発明は、このような問題に鑑みてなされたものであり、表示オブジェクトの編集作業を効率良く行うことが可能な操作端末及び操作端末に表示された表示オブジェクトの編集方法を提供する。
【課題を解決するための手段】
【０００６】
上記課題を解決するために、本発明の一態様に係る操作端末は、複数の表示オブジェクトを画面上に表示する表示部と、ユーザの指示が入力される入力部と、入力部への入力に基づいて、ユーザにより指定された画面上の位置を検出する指定位置検出部と、指定位置検出部の検出結果に基づいて、ユーザによって表示オブジェクトから選択された表示オブジェクトを判定し、当該表示オブジェクトを選択オブジェクトとする判定部と、判定部での判定結果に基づいて、選択オブジェクトの表示順を決定し、選択オブジェクトの画面上への挿入位置を決定する決定部と、選択オブジェクトが決定部で決定された表示順で挿入位置に挿入され、表示されるように、表示部に指示する指示部と、を備え、表示部は、指示部からの指示に基づいて、複数の表示オブジェクトの表示を変更する。
【０００７】
また、本発明の他の態様に係る表示オブジェクトの編集方法は、表示部の画面に表示された表示オブジェクトの編集方法であって、入力部を介して入力されるユーザの指示に基づいて、画面に表示された複数の表示オブジェクトから選択された表示オブジェクトである選択オブジェクトを設定し、かつ選択オブジェクトの表示順を決定するオブジェクト決定ステップと、ユーザの指示に基づいて、選択オブジェクトの画面上への挿入位置を決定する移動位置決定ステップと、選択オブジェクトを、表示順で上述の挿入位置に挿入して表示部に表示させる表示ステップと、を備える。
【発明の効果】
【０００８】
本発明の一態様によれば、表示オブジェクトの編集作業を効率良く行うことが可能な操作端末及び表示オブジェクトの編集方法を提供する。
【図面の簡単な説明】
【０００９】
【図１】本発明の第１実施形態に係る操作端末の一構成例を示すブロック図である。
【図２】本発明の第１実施形態に係る操作端末の表示部における画面表示の一例を示す模式図である。
【図３】本発明の第１実施形態に係る操作端末における表示オブジェクトの編集方法の一例を示すフローチャートである。
【図４】本発明の第１実施形態に係る操作端末における表示オブジェクトの編集方法の一例を示すフローチャートである。
【図５】本発明の第２実施形態に係る操作端末の表示部における画面表示の一例を示す模式図である。
【図６】本発明の第２実施形態に係る操作端末における表示オブジェクトの編集方法の一例を示すフローチャートである。
【発明を実施するための形態】
【００１０】
以下、実施形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
以下、図面を参照して本発明の各実施形態について説明する。
【００１１】
１．第一実施形態
以下、第一実施形態に係る操作端末及び操作端末において実行される表示オブジェクトの編集方法について、図１から図４を用いて説明する。
【００１２】
＜操作端末の構成＞
図１は、第一実施形態に係る操作端末１００の一構成例を説明するためのブロック図である。
操作端末１００は、例えば、ビル内の各フロアの共用部や各部屋に取り付けられた空調機や空調機が取り付けられた各部屋の情報を表示したり、各空調機に対して動作指示（すなわち設定温度や風量の設定変更、空調機のオン・オフ等）を入力可能な端末である。また、操作端末１００は、例えば、ビル内の共用部や各部屋に取り付けられた照明装置に関する情報を表示したり、各照明装置に対して動作指示（すなわち点灯状態の変更、照明装置のオン・オフ等）を入力可能な端末であってもよい。
以下、第一実施形態に係る操作端末１００は、空調機を設定・操作する端末であるものとして説明する。
【００１３】
図１に示すように、操作端末１００は、タッチパネル１０と、制御部２０と、記憶部３０と、通信部４０とを備えている。
タッチパネル１０は、表示部１２を有し、各部屋の名称や、温度・湿度等の環境情報等が表示可能な表示オブジェクトや、操作用ボタンが表示される。
制御部２０は、記憶部３０に記憶されたプログラムに基づき、タッチパネル１０や通信部４０を制御するとともに、記憶部３０との間でデータの送受信を行う。
以下、操作端末１００の各部について詳細に説明する。
【００１４】
（タッチパネル）
タッチパネル１０は、表示部１２と、入力部１４と、指定位置検出部１６とを有している。
タッチパネル１０では、表示部１２に表示された、各部屋に対応する表示オブジェクトや操作用ボタンを用いて、表示部１２における表示オブジェクトの表示位置の編集を行うことができる。また、タッチパネル１０では、ユーザが表示オブジェクトや操作用ボタンの表示領域にタッチすることにより、各空調機等の設定や操作を行うことができる。
【００１５】
表示部１２は、例えば液晶ディスプレイである。表示部１２は、制御部２０の制御に従って、複数の表示オブジェクトを画面上に表示する。また、表示部１２は、制御部２０の制御に従って、表示オブジェクトである操作用ボタンを画面上に表示する。表示オブジェクト及び操作用ボタンについては、後述する。
【００１６】
表示オブジェクトには、例えば対応する空調機の設置位置の名称として、例えば「ロビー」、「会議室」「オフィス」「倉庫」「実験室」等の名称が付された表示オブジェクトがある。また、表示オブジェクトには、例えば対応する空調機の設定温度や、設置位置における現在温度・現在湿度が表示されていても良い。
【００１７】
また、表示オブジェクトには、「ロビー」、「第一会議室」「オフィスＡ」「倉庫」「実験室１」等の具体的な空調機設置位置をグループ化したグループ名が名称として示されていても良い。例えば、グループ名の名称としては、「１階」「２階」「１階南エリア」等のフロア又はエリアを示すグループや、「会議室」「オフィス」等の居室の種類を示すグループの名称が用いられる。
【００１８】
グループの表示オブジェクトが用いられる場合、表示部１２では、グループの下層として、当該グループ内の各居室等の表示オブジェクトが表示される。すなわち、例えば「１階」の表示オブジェクトを選択すると、１階に位置する各居室の表示オブジェクトが表示されるようにしても良い。
【００１９】
入力部１４は、例えば静電容量式のタッチパネル１０の一部であり、ユーザの指示が入力される。入力部１４は、入力部１４の表面であるタッチ領域がユーザの手の指先等の被検出体でタッチされると、被検出体の検出位置に対応する電極の静電容量が変化する。入力部１４は、表示部１２の画面上に重ねて配置される。これにより、表示部１２の画面の全体が入力部１４のタッチ領域となる。
【００２０】
指定位置検出部１６は、入力部１４へのユーザの指示の入力に基づいて、ユーザにより指定された画面上の位置を検出する。すなわち、指定位置検出部１６は、入力部１４のタッチ領域のユーザにタッチされた位置を検知し、当該位置における静電容量の変化を検出信号として出力する。指定位置検出部１６の出力信号は制御部２０に送信される。
【００２１】
（制御部）
制御部２０は、判定部２２と、決定部２４と、指示部２６とを有している。
制御部２０は、タッチパネル１０におけるユーザの操作に基づいて、タッチパネル１０における表示オブジェクトの表示位置の編集や、ビル内の空調機システムへ制御信号を出力する。
【００２２】
判定部２２は、指定位置検出部１６の検出結果（検出信号）に基づいて、ユーザによってタッチされた位置が、表示オブジェクトのうちのどの表示オブジェクトの表示位置であるかを判定する。これにより、判定部２２は、予め表示部１２に表示された複数の表示オブジェクトのうちのどの表示オブジェクトが選択されたかを判定する。
【００２３】
決定部２４は、判定部２２での判定結果に基づいて、選択された複数の表示オブジェクトの選択順序を、ユーザにより指定された表示オブジェクトの表示順として決定する。また、決定部２４は、判定部２２での判定結果に基づいて、選択された表示オブジェクトの群の表示位置を決定する。決定部２４は、決定部２４での決定に応じて、指示部２６を介して表示部１２に表示の変更を指示する。決定部２４は、例えば表示位置の移動を指示する操作用ボタンがユーザによってタッチされたことをトリガとして、指示部２６へ指示信号を送信する。
【００２４】
（記憶部）
記憶部３０は、マイクロコンピュータを制御部２０として機能させるためのプログラムが記憶されている。このようなプログラムとしては、空調機の設定・操作用プログラム、タッチパネル１０の表示部１２における表示オブジェクトの表示・操作用プログラム、通信用プログラム等が挙げられる。
プログラムは、記憶部３０に予め記録されていてもよいし、メモリカード等の記録媒体に記録されて提供されたり、インターネット等のコンピュータネットワークを通じて記憶部３０に提供されてもよい。
【００２５】
（通信部）
通信部４０は、制御部２０の制御に従って、ビル内の空調機や各部屋に備えられたセンサ等との間で情報の送受信を行う。具体的に、通信部４０は、操作端末１００での操作に応じた制御信号をビル内の空調機システムに送信したり、ビル内の空調機や各部屋に備えられたセンサからの動作情報・環境情報を受信する。
【００２６】
＜表示オブジェクトの編集方法＞
以下、上述した操作端末１００において実行される表示オブジェクトの編集方法について、図１を参照しつつ図２〜図４を用いて説明する。
図２（Ａ）〜図２（Ｅ）は、操作端末１００の表示部１２における画面表示の一例を示す模式図である。図２（Ａ）〜図２（Ｅ）では、１２個の表示オブジェクトＡ〜Ｌ（１２２Ａ〜１２２Ｌ）が縦３行、横４列で表示部１２の画面上に表示されている場合について説明する。図２（Ａ）では、表示部１２上において、表示オブジェクトＡ〜Ｌ（１２２Ａ〜１２２Ｌ）が昇順にソートされた場合の並びを示している。
【００２７】
また、表示部１２は、例えば図２（Ａ）〜図２（Ｅ）では、制御部２０の制御に従って、操作用ボタン１２４Ａ〜１２４Ｃが画面上に表示されている。操作用ボタン１２４Ａは、例えば「編集開始」ボタンであり、表示オブジェクトＡ〜Ｌ（１２２Ａ〜１２２Ｌ）の表示位置の編集の開始を指示する機能を有する。操作用ボタン１２４Ｂは、例えば「編集完了」ボタンであり、表示オブジェクトＡ〜Ｌ（１２２Ａ〜１２２Ｌ）の表示位置の編集の完了を指示する機能を有する。操作用ボタン１２４Ｃは、直前の操作のキャンセルを指示する機能を有する。また、表示部１２は、これら以外の機能を有する操作用ボタンを有していても良い。
図３は、表示オブジェクトの編集方法を示すフローチャートであり、図４は、図３に示す表示オブジェクトの編集方法のステップＳ１０をより詳細に説明するフローチャートである。
【００２８】
まず、図２（Ａ）に示すように、表示オブジェクトＡ〜Ｌ（１２２Ａ〜１２２Ｌ）は、表示部１２上において、昇順（アルファベット順）にソートされて並んで表示されている。この状態から、表示オブジェクトの編集を開始する場合について説明する。
【００２９】
決定部２４は、入力部１４を介して入力されるユーザの指示に基づいて、表示部１２の画面に表示された複数の表示オブジェクトＡ〜Ｌ（１２２Ａ〜１２２Ｌ）から、移動対象の表示オブジェクトである選択オブジェクトを選択する。これにより、決定部２４は、移動対象の複数の表示オブジェクトの集合である表示オブジェクト群を設定するとともに、選択された順番で当該表示オブジェクト群内での表示オブジェクトの表示順（並び順）を設定する（ステップＳ１０）。
図２（Ｂ）に示すように、本実施形態では、決定部２４は、表示オブジェクトＡ（１２２Ａ）、Ｂ（１２２Ｂ）、Ｈ（１２２Ｈ）、Ｋ（１２２Ｋ）、Ｆ（１２２Ｆ）の順で選択することで、これらを移動対象として、その表示順と共に設定している。表示オブジェクトＡ（１２２Ａ）、Ｂ（１２２Ｂ）、Ｈ（１２２Ｈ）、Ｋ（１２２Ｋ）、Ｆ（１２２Ｆ）は、選択オブジェクトの一例であり、移動対象の表示オブジェクト群を形成する。
【００３０】
以下、図４を参照して、ステップＳ１０の表示オブジェクト群及び表示順の設定についてより詳細に説明する。
指定位置検出部１６は、入力部１４への入力に基づいて、ユーザにより指定された画面上の位置を検出する（図４、ステップＳ１０１）。続いて、判定部２２は、指定位置検出部１６の検出結果に基づいて、複数の表示オブジェクトＡ〜Ｌ（１２２Ａ〜１２２Ｌ）のうちのどの表示オブジェクトが選択されたかを判定する（図４、ステップＳ１０２）。
【００３１】
決定部２４は、選択された表示オブジェクトのうちの一つの表示オブジェクト（例えば表示オブジェクトＡ（１２２Ａ））上に、表示順を示す数字、文字、図形又は絵柄を重ねて表示するように指示する。これにより、図２（Ｂ）に示すように、表示部１２では、表示オブジェクトＡ（１２２Ａ）上に、表示順である「１」が表示される（図４、ステップＳ１０３）。
【００３２】
そして、表示順が１つインクリメントされる（図４、ステップＳ１０４）。
【００３３】
次に、「編集完了」ボタン（操作用ボタン１２４Ｂ）が押下されたか否かが判定される（図４、ステップＳ１０５）。ステップＳ１０５において、「編集完了」ボタンが押下されていないと判定された場合（図４、ステップＳ１０５のＮｏ）、処理がステップＳ１０１に戻り、選択された表示オブジェクトの検出が継続される。一方、ステップＳ１０５において、「編集完了」ボタンが押下されたと判定された場合（図４、ステップＳ１０５のＹｅｓ）、一連の処理が終了する。
【００３４】
以上に示した動作により、決定部２４において、移動対象の表示オブジェクト群の設定と、当該移動対象の表示オブジェクトの表示順とが決定される。
図２（Ｂ）は、移動対象の表示オブジェクト群が、表示オブジェクトＡ（１２２Ａ）、表示オブジェクトＢ（１２２Ｂ）、表示オブジェクトＨ（１２２Ｈ）、表示オブジェクトＫ（１２２Ｋ）、表示オブジェクトＦ（１２２Ｆ）として、この表示順で決定された状態の表示例である。
【００３５】
続いて、決定部２４は、判定部２２での判定結果に基づいて、ユーザによってどの表示オブジェクトがタッチされた判定し、その表示オブジェクトの位置を基準に、選択された表示オブジェクト群の挿入位置を決定する（ステップＳ２０）。図２（Ｃ）は、表示オブジェクトＣ（１２２Ｃ）付近をユーザがタッチすることで、挿入位置が設定されたと決定部２４が判断した場合の表示部１２の表示例である。
この場合、決定部２４は、表示部１２の表示オブジェクト１２２Ｃの近傍に、移動対象の表示オブジェクト群の表示位置の選択肢１２６を表示させる。表示位置の選択肢１２６としては、ユーザによって指定された表示オブジェクトに対する相対的な位置を表示する。例えば、図２（Ｃ）に示すように、表示オブジェクト１２２Ｃの近傍に、「左ｏｒ右」との選択肢１２６を表示させる。「左ｏｒ右」は、表示オブジェクト１２２Ｃを基準として成り立つ相対的な位置を示している。決定部２４は、ユーザからの入力に基づいて、表示オブジェクト群の挿入位置を決定する。
【００３６】
最後に、表示オブジェクト群を移動する（ステップＳ３０）。すなわち、表示部１２は、表示オブジェクト群に含まれる選択オブジェクトを、所定の挿入位置に挿入して表示する。このとき、移動対象の表示オブジェクト群は、決定部２４で決定した表示順（表示オブジェクト１２２Ａ，１２２Ｂ，１２２Ｈ，１２２Ｋ，１２２Ｆ）で、所定の位置に表示される。
例えば、図２（Ｃ）において「右」が選択された場合、表示オブジェクトＡ〜Ｌ（１２２Ａ〜１２２Ｌ）は図２（Ｄ）に示すように表示オブジェクトＣ（１２２Ｃ）の右側に表示順に従って表示オブジェクト群ＯＢが挿入されて並べ替えられる（図２（Ｄ）中の領域Ｏ）。また、図２（Ｃ）において「左」が選択された場合、表示オブジェクトＡ〜Ｌ（１２２Ａ〜１２２Ｌ）は図２（Ｅ）に示すように表示オブジェクトＣ（１２２Ｃ）の左側に表示順に従って表示オブジェクト群ＯＢが挿入されて並べ替えられる。
【００３７】
＜第一実施形態における効果＞
第一実施形態に係る操作端末１００は、以下の効果を有する。
（１）操作端末１００では、表示オブジェクトを複数選択して移動する表示オブジェクト群の選択及び表示オブジェクト群内での表示順を容易に決定し、それを任意の箇所に挿入することが可能である。このため、表示オブジェクトを一つ一つ所望の位置に移動させる場合と比較して表示オブジェクトの編集作業を効率良く行うことが可能となる。
（２）操作端末１００では、移動する表示オブジェクトの選択と選択した表示オブジェクトの表示順の設定を同時に行うことができる。このため、表示オブジェクト自体の選択と、当該表示オブジェクトの表示順の設定を別に行う場合と比較して表示オブジェクトの編集作業を効率良く行うことが可能となる。
【００３８】
２．第二実施形態
以下、本発明の第二実施形態について、図１から図４を参照しつつ、図５（Ａ）〜図５（Ｆ）及び図６を用いて説明する。図５（Ａ）〜図５（Ｆ）は、操作端末１００Ａの表示部１２における画面表示の一例を示す模式図である。図６は、第二実施形態に係る表示オブジェクトの編集方法を示すフローチャートであり、特に移動対象の表示オブジェクト及び表示順の設定について詳細に示すフローチャートである。
【００３９】
なお、操作端末１００Ａの構成は、図１に示す操作端末１００と同様であるため、説明を省略する。
【００４０】
＜表示オブジェクトの編集方法＞
以下、第二実施形態に係る操作端末１００Ａにおいて実行される表示オブジェクトの編集方法について、図３を参照しつつ図６を用いて説明する。
第二実施形態に係る表示オブジェクトの編集方法は、第一実施形態に係る表示オブジェクトの編集方法と同様に、ステップＳ１０〜ステップＳ３０の各工程を有している。しかしながら、第二実施形態に係る表示オブジェクトの編集方法は、ステップＳ１０の詳細な工程が、図６に示すステップＳ１１１〜Ｓ１１７である点で第一実施形態と相違する。
【００４１】
以下、ステップＳ１０の詳細な工程であるステップＳ１１１〜Ｓ１１７について説明する。
決定部２４は、入力部１４を介して入力されるユーザの指示に基づいて、表示部１２の画面に表示された複数の表示オブジェクトＡ〜Ｌ（１２２Ａ〜１２２Ｌ）から、移動対象の表示オブジェクトを選択して表示オブジェクト群及び表示順を設定する（ステップＳ１０）。
【００４２】
以下、図４を参照して、ステップＳ１０の表示オブジェクト群及び表示順を設定についてより詳細に説明する。
まず、ユーザの指示に基づいて、移動対象の表示オブジェクト群を決定する。
指定位置検出部１６は、入力部１４への入力に基づいて、ユーザにより指定された画面上の位置を検出する（図６、ステップＳ１１１）。続いて、判定部２２は、指定位置検出部１６の検出結果に基づいて、複数の表示オブジェクトＡ〜Ｌ（１２２Ａ〜１２２Ｌ）のうちのどの表示オブジェクトが選択されたかを判定する（図６、ステップＳ１１２）。
【００４３】
次に、「編集完了」ボタン（操作用ボタン１２４Ｂ）が押下されたか否かを判定（図４、ステップＳ１１３）する。ステップＳ１１３において、「編集完了」ボタンが押下されていないと判定された場合（図６、ステップＳ１１３のＮｏ）、処理がステップＳ１１１に戻り、表示オブジェクトの選択が継続される。一方、ステップＳ１１３において、「編集完了」ボタンが押下されたと判定された場合（図６、ステップＳ１１３のＹｅｓ）、決定部２４により、移動対象の表示オブジェクト群が決定され、処理がステップＳ１１４に移る。
【００４４】
図５（Ｂ）は、本実施形態において、移動対象の表示オブジェクト群が、表示オブジェクトＡ（１２２Ａ）、表示オブジェクトＢ（１２２Ｂ）、表示オブジェクトＦ（１２２Ｆ）、表示オブジェクトＨ（１２２Ｈ）、表示オブジェクトＫ（１２２Ｋ）として決定された状態の表示例である。ここで、移動対象の表示オブジェクト群は、表示部１２内に形成された図示しない別画面に抽出されて表示されても良い。
【００４５】
続いて、ユーザが表示させたい表示順に移動対象の表示オブジェクト群をタッチすることで、表示順を決定する。
指定位置検出部１６において、ユーザにより指定された画面上の位置を検出する（図６、ステップＳ１１４）。続いて、判定部２２において、移動対象の表示オブジェクトＡ（１２２Ａ），表示オブジェクトＢ（１２２Ｂ），表示オブジェクトＦ（１２２Ｆ），表示オブジェクトＨ（１２２Ｈ），表示オブジェクトＫ（１２２Ｋ）のうちのどの表示オブジェクトが選択されたかを判定する（図６、ステップＳ１１５）。
【００４６】
これにより、決定部２４は、ステップＳ１１５において表示オブジェクトが選択された時間的な順番に対応させて、各表示オブジェクトの表示順を決定する。例えば、決定部２４は、移動対象の表示オブジェクトＡ（１２２Ａ），表示オブジェクトＢ（１２２Ｂ），表示オブジェクトＨ（１２２Ｈ），表示オブジェクトＫ（１２２Ｋ），表示オブジェクトＦ（１２２Ｆ）が当該順番で選択されたことを検知し、表示順を決定する。
【００４７】
続いて、決定部２４は、選択された表示オブジェクト（例えば表示オブジェクトＡ（１２２Ａ））上に、表示順を示す数字、文字、図形又は絵柄を重ねて表示するように指示する（図６、ステップＳ１１６）。これにより、図５（Ｃ）に示すように、表示部１２では、表示オブジェクトＡ（１２２Ａ）上に、表示順である「１」が表示される。ここで、選択された表示オブジェクト上に数字等を重ねて表示するように指示するステップＳ１１６は、ステップＳ１１５において表示オブジェクト群からの表示オブジェクトの選択が検知される度に行われる。
【００４８】
そして、表示順が１つインクリメントされる（図６、ステップＳ１１７）。
【００４９】
次に、「編集完了」ボタン（操作用ボタン１２４Ｂ）が押下されたか否かが判定される（図６、ステップＳ１１８）。ステップＳ１１８において、「編集完了」ボタンが押下されていないと判定された場合（図６、ステップＳ１１８のＮｏ）、処理がステップＳ１１４に戻り、選択された表示オブジェクトの検出（表示順の検出）が継続される。一方、ステップＳ１１８において、「編集完了」ボタンが押下されたと判定された場合（図６、ステップＳ１１８のＹｅｓ）、処理がステップＳ１１９に移る。
【００５０】
最後に、移動対象の全表示オブジェクトに対して表示順の設定が完了しているか否かが判定される（ステップＳ１１９）。ステップＳ１１９において、全ての表示順の設定が完了していないと判定された場合（図６、ステップＳ１１９のＮｏ）、処理がステップＳ１１４に戻り、選択された表示オブジェクトの検出（表示順の検出）が継続される。一方、ステップＳ１１９において、移動対象の表示オブジェクト群の数と表示順の値の一致によって全ての表示順の設定が完了していると判定された場合（図６、ステップＳ１１９のＹｅｓ）、一連の処理が終了する。
【００５１】
以上に示した動作により、決定部２４において、移動対象の表示オブジェクト群の設定と、当該移動対象の表示オブジェクトの表示順とが決定される。
図５（Ｃ）は、移動対象の表示オブジェクト（表示オブジェクトＡ（１２２Ａ）、表示オブジェクトＢ（１２２Ｂ）、表示オブジェクトＨ（１２２Ｈ）、表示オブジェクトＫ（１２２Ｋ）、表示オブジェクトＦ（１２２Ｆ））の表示順が、この順で決定された状態の表示例である。
【００５２】
続いて、第一実施形態と同様に、処理がステップＳ２０に移る。そして、移動対象の表示オブジェクト群の挿入位置の決定（ステップＳ２０、図５（Ｄ））及び移動対象の表示オブジェクト群の当該挿入位置への移動（ステップＳ３０，図５（Ｅ）、図５（Ｆ））が行われる。
【００５３】
例えば、図５（Ｄ）において「右」が選択された場合、表示オブジェクトＡ〜Ｌ（１２２Ａ〜１２２Ｌ）は図５（Ｅ）に示すように表示オブジェクトＣ（１２２Ｃ）の右側に表示順に従って表示オブジェクト群ＯＢが挿入されて並べ替えられる。また、図５（Ｄ）において「左」が選択された場合、表示オブジェクトＡ〜Ｌ（１２２Ａ〜１２２Ｌ）は図５（Ｆ）に示すように表示オブジェクトＣ（１２２Ｃ）の左側に表示順に従って表示オブジェクト群ＯＢが挿入されて並べ替えられる。
【００５４】
＜第二実施形態における効果＞
第二実施形態に係る操作端末１００Ａは、第一実施形態における効果（１）に加えて、以下の効果を有する。
（３）操作端末１００Ａでは、移動対象の表示オブジェクトを選択して表示オブジェクト群を決定した後で、改めて表示オブジェクト群内における表示オブジェクトの表示順を決定することができる。このため、近くに配置したい表示オブジェクトをまず選択してから、表示順をじっくり検討することができるため、より編集効率が向上する。
（４）操作端末１００Ａでは、移動対象の表示オブジェクト群を選択する際に、選択された表示オブジェクト群を、表示部１２内に形成された図示しない別画面に表示することで、さらに編集効率が向上する。
【００５５】
３．変形例
操作端末１００，１００Ａでは、表示オブジェクト群の移動位置を決定する際に、移動位置として選択された表示オブジェクトの近傍に「左ｏｒ右」との選択肢１２６を表示させ、ユーザの選択に応じて移動位置を決定した。しかしながら、移動位置の決定方法は、このような方法に限られない。
例えば、移動位置としてユーザがタッチした位置に応じて、表示オブジェクト群の移動位置を自動的に判断しても良い。例えば、ユーザのタッチ位置が、ある表示オブジェクト上かつ当該表示オブジェクトの上下方向に延びる中心線より右側であった場合には、表示オブジェクト群の移動位置が当該表示オブジェクトの右側であると自動的に判断しても良い。このようにして決定された移動位置は、表示オブジェクト１２２Ｃを基準として成り立つ相対的な位置となる。
【００５６】
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【００５７】
１０  タッチパネル
１２  表示部
１４  入力部
１６  指定位置検出部
２０  制御部
２２  判定部
２４  決定部
２６  指示部
３０  記憶部
４０  通信部
１００，１００Ａ  操作端末
１２２Ａ〜１２２Ｌ  表示オブジェクトＡ〜表示オブジェクトＬ
１２４Ａ〜１２４Ｃ  操作用ボタン
【図１】
2020160957.tif 000003
【図２】
2020160957.tif 000004
【図３】
2020160957.tif 000005
【図４】
2020160957.tif 000006
【図５】
2020160957.tif 000007
【図６】
2020160957.tif 000008